【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のチャネルの第１の送信時間間隔（ＴＴＩ）バンドリング長さを識別することと、
第２のチャネルの第２のＴＴＩバンドリング長さを識別することと、
前記識別された第１のＴＴＩバンドリング長さに少なくとも部分的に基づいて、前記第１のチャネルについて監視するために、複数の探索空間の中から第１の探索空間を決定することと、
ＴＴＩ中に前記第１のチャネルについて前記第１の探索空間を監視することと、
前記識別された第２のＴＴＩバンドリング長さに少なくとも部分的に基づいて、前記第２のチャネルについて監視するために、前記複数の探索空間の中から第２の探索空間を決定することと、
前記ＴＴＩ中に前記第２のチャネルについて前記第２の探索空間を監視することと、
を備える、方法。
【請求項２】
第１のＴＴＩバンドリング長さ構成と第２のＴＴＩバンドリング長さ構成とを示すシグナリングを受信すること、をさらに備え、
前記第１の探索空間は、前記第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
請求項１に記載の方法。
【請求項３】
前記第１のチャネルは第１の制御チャネルを備え、前記第２のチャネルは第２の制御チャネルを備える、請求項１に記載の方法。
【請求項４】
前記第１の制御チャネルまたは前記第２の制御チャネルは、前記ＴＴＩ中に他のチャネルと周波数分割多重化される、請求項３に記載の方法。
【請求項５】
第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
をさらに備える、請求項１に記載の方法。
【請求項６】
前記第１のチャネルと前記第２のチャネルとは制御チャネルを備え、前記第３のチャネルは、前記第１の制御チャネルまたは前記第２の制御チャネルに関連付けられていないデータチャネルを備える、請求項５に記載の方法。
【請求項７】
前記第１のチャネルと、前記第２のチャネルと、前記第３のチャネルとは、それぞれ畳み込み符号化される、請求項５に記載の方法。
【請求項８】
前記第１のＴＴＩバンドリング長さと前記第２のＴＴＩバンドリング長さとは異なる、請求項１に記載の方法。
【請求項９】
前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、請求項１に記載の方法。
【請求項１０】
前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、請求項１に記載の方法。
【請求項１１】
前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、請求項１に記載の方法。
【請求項１２】
前記第１の探索空間と前記第２の探索空間とは、前記ＴＴＩ中で同じアグリゲーションレベルを有する、請求項１に記載の方法。
【請求項１３】
前記第１の探索空間と前記第２の探索空間とは、前記ＴＴＩ中で異なるアグリゲーションレベルを有する、請求項１に記載の方法。
【請求項１４】
ワイヤレス通信のための装置であって、
請求項１〜請求項１３のうちのいずれか一項のステップを実行するように構成された手段を備える、装置。
【請求項１５】
ワイヤレス通信のためのコードを記憶する非一時的コンピュータ可読媒体であって、前記コードは、請求項１〜請求項１３のうちのいずれか一項のステップを実行するように構成される、非一時的コンピュータ可読媒体。
【手続補正２】
【補正対象書類名】明細書
【補正対象項目名】０１６８
【補正方法】変更
【補正の内容】
【０１６８】
[0189]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ワイヤレス通信の方法であって、
第１のチャネルの第１の送信時間間隔（ＴＴＩ）バンドリング長さを識別することと、  第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を備える、方法。
[Ｃ２]  第１のＴＴＩバンドリング長さ構成と第２のＴＴＩバンドリング長さ構成とを示すシグナリングを受信すること、をさらに備え、
前記第１の探索空間は、前記第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
Ｃ１に記載の方法。
[Ｃ３]  前記第１のチャネルは第１の制御チャネルを備え、前記第２のチャネルは第２の制御チャネルを備える、Ｃ１に記載の方法。
[Ｃ４]  前記第１の制御チャネルまたは前記第２の制御チャネルは、前記ＴＴＩ中に他のチャネルと周波数分割多重化される、Ｃ３に記載の方法。
[Ｃ５]  第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
をさらに備える、Ｃ１に記載の方法。
[Ｃ６]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ５に記載の方法。
[Ｃ７]  前記第１のチャネルと、前記第２のチャネルと、前記第３のチャネルとは、それぞれ畳み込み符号化される、Ｃ５に記載の方法。
[Ｃ８]  前記第１のＴＴＩバンドリング長さと前記第２のＴＴＩバンドリング長さとは異なる、Ｃ１に記載の方法。
[Ｃ９]  前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、Ｃ１に記載の方法。
[Ｃ１０]  前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、Ｃ１に記載の方法。
[Ｃ１１]  前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、Ｃ１に記載の方法。
[Ｃ１２]  前記第１の探索空間と前記第２の探索空間とは、前記ＴＴＩ中で同じアグリゲーションレベルを有する、Ｃ１に記載の方法。
[Ｃ１３]  前記第１の探索空間と前記第２の探索空間とは、前記ＴＴＩ中で異なるアグリゲーションレベルを有する、Ｃ１に記載の方法。
[Ｃ１４]  ワイヤレス通信のための装置であって、
第１のチャネルの第１の送信時間間隔（ＴＴＩ）バンドリング長さを識別するための手段と、
第２のチャネルの第２のＴＴＩバンドリング長さを識別するための手段と、
前記識別された第１のＴＴＩバンドリング長さに少なくとも部分的に基づいて、ＴＴＩ中に前記第１のチャネルについて第１の探索空間を監視するための手段と、
前記識別された第２のＴＴＩバンドリング長さに少なくとも部分的に基づいて、前記ＴＴＩ中に前記第２のチャネルについて第２の探索空間を監視するための手段と、
を備える、装置。
[Ｃ１５]  第１のＴＴＩバンドリング長さ構成と第２のＴＴＩバンドリング長さ構成とを示すシグナリングを受信するための手段、をさらに備え、
前記第１の探索空間を監視するための前記手段は、前記第１のＴＴＩバンドリング長さ構成に対応する前記識別された第１のＴＴＩバンドリング長さに少なくとも部分的に基づいて監視することを実行するように動作可能であり、
前記第２の探索空間を監視するための前記手段は、前記識別された第２のＴＴＩバンドリング長さ構成に少なくとも部分的に基づいて監視することを実行するように動作可能である、
Ｃ１４に記載の装置。
[Ｃ１６]  前記第１のチャネルは第１の制御チャネルを備え、前記第２のチャネルは第２の制御チャネルを備える、Ｃ１４に記載の装置。
[Ｃ１７]  前記第１の制御チャネルまたは前記第２の制御チャネルは、前記ＴＴＩ中に他のチャネルと周波数分割多重化される、Ｃ１６に記載の装置。
[Ｃ１８]  第３のチャネルの第３のＴＴＩバンドリング長さを識別するための手段と、
前記識別された第３のＴＴＩバンドリング長さに少なくとも部分的に基づいて、前記ＴＴＩ中に前記第３のチャネルについて第３の探索空間を監視するための手段と、
をさらに備える、Ｃ１４に記載の装置。
[Ｃ１９]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ１８に記載の装置。
[Ｃ２０]  前記第１のチャネルと、前記第２のチャネルと、前記第３のチャネルとは、それぞれ畳み込み符号化される、Ｃ１８に記載の装置。
[Ｃ２１]  前記第１のＴＴＩバンドリング長さと前記第２のＴＴＩバンドリング長さとは異なる、Ｃ１４に記載の装置。
[Ｃ２２]  前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、Ｃ１４に記載の装置。
[Ｃ２３]  前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、Ｃ１４に記載の装置。
[Ｃ２４]  前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、Ｃ１４に記載の装置。
[Ｃ２５]  ワイヤレス通信のための装置であって、
プロセッサと、
前記プロセッサと電子通信しているメモリと、
前記メモリ中に記憶され、前記プロセッサによって実行されたとき、前記装置に、
第１のチャネルの第１の送信時間間隔（ＴＴＩ）バンドリング長さを識別することと、
第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を行わせるように動作可能な命令と、
を備える、装置。
[Ｃ２６]  前記命令は、前記装置に、
第１のＴＴＩバンドリング長さ構成と第２のＴＴＩバンドリング長さ構成とを示すシグナリングを受信すること、を行わせるように動作可能であり、
前記第１の探索空間は、第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
Ｃ２５に記載の装置。
[Ｃ２７]  前記第１のチャネルは第１の制御チャネルを備え、前記第２のチャネルは第２の制御チャネルを備える、Ｃ２５に記載の装置。
[Ｃ２８]  前記命令は、前記装置に、
第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
を行わせるように動作可能である、Ｃ２５に記載の装置。
[Ｃ２９]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ２８に記載の装置。
[Ｃ３０]  ワイヤレス通信のためのコードを記憶する非一時的コンピュータ可読媒体であって、前記コードは
第１のチャネルの送信時間間隔（ＴＴＩ）バンドリング長さを識別することと、
前記識別されたＴＴＩバンドリング長さに少なくとも部分的に基づいて、ＴＴＩ中に前記第１のチャネルについて第１の探索空間を監視することと、
を行うように実行可能な命令を備える、非一時的コンピュータ可読媒体。